【手続補正書】
【提出日】平成18年8月18日(2006.8.18)
【手続補正１】
【補正対象書類名】特許請求の範囲
【補正対象項目名】全文
【補正方法】変更
【補正の内容】
【特許請求の範囲】
【請求項１】
画像読取手段と、通信手段と、記憶手段と、これら各手段の動作を制御する処理手段とを備え、かつ、外部装置へデータの送信を行う際の送信履歴を該記憶手段に蓄積する画像形成装置において、
前記記憶手段に、送信履歴の数を指定する送信履歴閾値と、送信履歴の数が前記送信履歴閾値に達した場合の画像形成装置の動作を識別する履歴満杯時動作識別子を記憶し、
前記処理手段が、
ａ１）前記画像読取手段からデータを読取るステップと、
ｂ１）前記データを前記記憶手段に格納するステップと、
ｃ１）前記格納したデータを、前記通信手段を介して外部装置に送信すると共に、当該送信に関する送信履歴を前記記憶手段に蓄積するステップと、
ｄ１）記憶手段に蓄積した送信履歴の数が、前記送信履歴閾値に達した場合に、
ｅ１）前記履歴満杯時動作識別子に応じて、前記記憶手段に蓄積された送信履歴を削除する、又は送信を伴う処理を禁止することを示す禁止フラグを前記記憶手段に格納するステップと、
ｆ１）前記記憶手段に禁止フラグが格納されている場合に、送信を伴う処理を禁止するステップと、
を実行することを特徴とした画像形成装置。
【請求項２】
請求項１記載の画像形成装置において、
前記処理手段は、前記記憶手段に禁止フラグが格納されている場合に当該送信履歴を出力したとき、前記記憶手段に格納した禁止フラグを削除するステップ、を実行することを特徴とした画像形成装置。
【請求項３】
請求項１記載の画像形成装置において、
前記処理手段が、
ａ３）前記記憶手段に禁止フラグが格納されている場合であっても、送信を伴わない処理の実行要求を受付けるステップと、
ｂ３）前記受付けた実行要求に基づいて、送信を伴わない処理を行うステップと、
を実行すること特徴とした画像形成装置。
【請求項４】
請求項１記載の画像形成装置において、
前記記憶手段に、ユーザ認証を必要とすることを示すセキュリティ識別子を記憶し、
前記処理手段が、セキュリティ識別子の変更に関連付けて、履歴満杯時動作識別子を書き変えるステップ、を実行すること特徴とした画像形成装置。
【請求項５】
請求項１記載の画像形成装置において、
前記記憶手段に、
送信履歴の出力方法を識別する出力方法識別子と、データの送信先を識別する送信先識別子とを関連付けて格納し、
前記処理手段が、
ａ５）前記入力手段から出力方法識別子を受付けるステップと、
ｂ５）前記記憶手段から前記受付けた出力方法識別子に関連付けられた送信先識別子を取り出す、又は、前記入力手段から送信先識別子を受付けるステップと、
ｃ５）前記記憶手段から取り出した送信先識別子、又は前記入力手段から受付けた送信先識別子に対応する送信先に、送信履歴を出力するステップと、
を実行すること特徴とした画像形成装置。
【請求項６】
請求項１記載の画像形成装置において、
前記処理手段が、
前記記憶手段に禁止フラグが格納されているか否かにかかわらず、前記入力手段から実行要求を受付けたことを契機として、送信履歴を出力するステップを実行することを特徴とした画像形成装置。
【請求項７】
請求項２乃至６記載のいずれかの画像形成装置において、
前記記憶手段又は外部装置の記憶手段に、
ユーザを識別するユーザ識別子を格納すると共に、当該ユーザ識別子に対応するユーザが管理者である場合に、前記ユーザ識別子と、管理者であることを示す管理者権限とを関連付けて格納し、
前記処理手段が、
ａ７）前記入力手段からユーザ識別子を受付けるステップと、
ｂ７）当該受付けたユーザ識別子と、管理者権限とが関連付けられて前記記憶手段に格納されている場合のみ、送信履歴を出力するステップと、
を実行すること特徴とした画像形成装置。
【請求項８】
請求項２乃至７記載のいずれかの画像形成装置において、
前記処理手段が、
ａ８）前記記憶手段に禁止フラグが格納されている場合に、前記入力手段から実行要求を受付けたことを契機として、記憶手段に格納された送信履歴を送信日時の古い順に送信履歴閾値の数まで出力するステップと、
ｂ８）当該出力した送信履歴を記憶手段から削除するステップと、
を実行することを特徴とした画像形成装置。
【請求項９】
請求項２乃至７記載のいずれかの画像形成装置において、
前記画像形成装置が表示手段を備えると共に、
前記処理手段が、
前記記憶手段に禁止フラグが格納されている場合に、管理者に送信履歴の出力を促す警告を表示手段に表示するステップを実行することを特徴とした画像形成装置。
【請求項１０】
画像読取手段と、通信手段と、記憶手段と、これら各手段の動作を制御する処理手段とを備え、かつ、外部装置へデータの送信を行う際の送信履歴を該記憶手段に蓄積する画像形成装置において、
前記記憶手段に、送信履歴の数を指定する送信履歴閾値と、送信履歴の数が前記送信履歴閾値に達した場合の画像形成装置の動作を識別する履歴満杯時動作識別子を記憶し、
前記処理手段が、
ａ１０）前記画像読取手段からデータを読取るステップと、
ｂ１０）前記データを前記記憶手段に格納するステップと、
ｃ１０）前記格納したデータを、前記通信手段を介して外部装置に送信すると共に、当該送信に関する送信履歴を前記記憶手段に蓄積するステップと、
ｄ１０）記憶手段に蓄積した送信履歴の数が、前記送信履歴閾値に達した場合に、
ｅ１０）前記履歴満杯時動作識別子に応じて、前記記憶手段に蓄積された送信履歴を削除する、又は送信を伴う処理を禁止することを示す禁止フラグを前記記憶手段に格納するステップと、
ｆ１０）前記記憶手段に禁止フラグが格納されている場合に、送信を伴う処理を禁止するステップと、
を実行することを特徴とした画像形成装置の送信履歴管理方法。
【請求項１１】
請求項１０記載の送信履歴管理方法において、
前記処理手段は、前記記憶手段に禁止フラグが格納されている場合に当該送信履歴を出力したとき、前記記憶手段に格納した禁止フラグを削除するステップ、を実行することを特徴とした画像形成装置の送信履歴管理方法。
【請求項１２】
請求項１０記載の送信履歴管理方法において、
前記記憶手段に、ユーザ認証を必要とすることを示すセキュリティ識別子を記憶し、
前記処理手段が、セキュリティ識別子の変更に関連付けて、履歴満杯時動作識別子を書き変えるステップ、を実行すること特徴とした画像形成装置の送信履歴管理方法。
【請求項１３】
請求項１０記載の送信履歴管理方法において、
前記記憶手段に、
送信履歴の出力方法を識別する出力方法識別子と、データの送信先を識別する送信先識別子とを関連付けて格納し、
前記処理手段が、
ａ１３）前記入力手段から出力方法識別子を受付けるステップと、
ｂ１３）前記記憶手段から前記受付けた出力方法識別子に関連付けられた送信先識別子を取り出す、又は、前記入力手段から送信先識別子を受付けるステップと、
ｃ１３）前記記憶手段から取り出した送信先識別子、又は前記入力手段から受付けた送信先識別子に対応する送信先に、送信履歴を出力するステップと、
を実行すること特徴とした画像形成装置の送信履歴管理方法。
【請求項１４】
請求項１１乃至１３記載のいずれかの送信履歴管理方法において、
前記記憶手段又は外部装置の記憶手段に、
ユーザを識別するユーザ識別子を格納すると共に、当該ユーザ識別子に対応するユーザが管理者である場合に、前記ユーザ識別子と、管理者であることを示す管理者権限とを関連付けて格納し、
前記処理手段が、
ａ１４）前記入力手段からユーザ識別子を受付けるステップと、
ｂ１４）当該受付けたユーザ識別子と、管理者権限とが関連付けられて前記記憶手段に格納されている場合のみ、送信履歴を出力するステップと、
を実行すること特徴とした画像形成装置の送信履歴管理方法。
【請求項１５】
画像読取手段と、通信手段と、記憶手段と、これら各手段の動作を制御する処理手段とを備え、かつ、外部装置へデータの送信を行う際の送信履歴を該記憶手段に蓄積する画像形成装置において、
前記記憶手段に、送信履歴の数を指定する送信履歴閾値と、送信履歴の数が前記送信履歴閾値に達した場合の画像形成装置の動作を識別する履歴満杯時動作識別子を記憶し、
前記処理手段に、
ａ１５）前記画像読取手段からデータを読取るステップと、
ｂ１５）前記データを前記記憶手段に格納するステップと、
ｃ１５）前記格納したデータを、前記通信手段を介して外部装置に送信すると共に、当該送信に関する送信履歴を前記記憶手段に蓄積するステップと、
ｄ１５）記憶手段に蓄積した送信履歴の数が、前記送信履歴閾値に達した場合に、
ｅ１５）前記履歴満杯時動作識別子に応じて、前記記憶手段に蓄積された送信履歴を削除する、又は送信を伴う処理を禁止することを示す禁止フラグを前記記憶手段に格納するステップと、
ｆ１５）前記記憶手段に禁止フラグが格納されている場合に、送信を伴う処理を禁止するステップと、
を実行させることを特徴とした画像形成装置の送信履歴管理プログラム。
【手続補正２】
【補正対象書類名】明細書
【補正対象項目名】０００９
【補正方法】変更
【補正の内容】
【０００９】
請求項１又は１０記載の発明は、画像読取手段と、通信手段と、記憶手段と、これら各手段の動作を制御する処理手段とを備え、かつ、外部装置へデータの送信を行う際の送信履歴を記憶手段に蓄積する画像形成装置において、以下の処理を実行する。ここで、記憶手段は、送信履歴の数を指定する送信履歴閾値と、送信履歴の数が送信履歴閾値に達した場合の画像形成装置の動作を識別する履歴満杯時動作識別子とを記憶している。そして、処理手段が、画像読取手段からデータを読取るステップと、このデータを記憶手段に格納するステップと、格納したデータを、通信手段を介して外部装置に送信すると共に、当該送信に関する送信履歴を記憶手段に蓄積するステップと、記憶手段に蓄積した送信履歴の数が、送信履歴閾値に達した場合に、履歴満杯時動作識別子に応じて、記憶手段に蓄積された送信履歴を削除する、又は送信を伴う処理を禁止することを示す禁止フラグを記憶手段に格納するステップと、記憶手段に禁止フラグが格納されている場合に、送信を伴う処理を禁止するステップとを実行する。
【手続補正３】
【補正対象書類名】明細書
【補正対象項目名】００１０
【補正方法】変更
【補正の内容】
【００１０】
請求項２又は１１記載の発明は、請求項１記載の画像形成装置において、以下の処理を実行する。処理手段は、記憶手段に禁止フラグが格納されている場合に当該送信履歴を出力したとき、記憶手段に格納した禁止フラグを削除するステップを実行する。
【手続補正４】
【補正対象書類名】明細書
【補正対象項目名】００１２
【補正方法】変更
【補正の内容】
【００１２】
請求項４又は１２記載の発明は、請求項１記載の画像形成装置において、以下の処理を実行する。ここで、記憶手段は、ユーザ認証を必要とすることを示すセキュリティ識別子を記憶している。そして、処理手段が、セキュリティ識別子の変更に関連付けて、履歴満杯時動作識別子を書き変えるステップを実行する。
【手続補正５】
【補正対象書類名】明細書
【補正対象項目名】００１３
【補正方法】変更
【補正の内容】
【００１３】
請求項５又は１３記載の発明は、請求項１記載の画像形成装置において、以下の処理を実行する。ここで、記憶手段は、送信履歴の出力方法を識別する出力方法識別子と、データの送信先を識別する送信先識別子とを関連付けて格納している。そして、処理手段が、入力手段から出力方法識別子を受付けるステップと、受付けた出力方法識別子に関連付けられた送信先識別子を記憶手段から取り出す、又は、入力手段から送信先識別子を受付けるステップと、記憶手段から取り出した送信先識別子、又は入力手段から受付けた送信先識別子に対応する送信先に、送信履歴を出力するステップとを実行する。
【手続補正６】
【補正対象書類名】明細書
【補正対象項目名】００１５
【補正方法】変更
【補正の内容】
【００１５】
請求項７又は１４記載の発明は、請求項２乃至６記載のいずれかの画像形成装置において、以下の処理を実行する。ここで、記憶手段又は外部装置の記憶手段は、ユーザを識別するユーザ識別子を格納すると共に、当該ユーザ識別子に対応するユーザが管理者である場合に、ユーザ識別子と、管理者であることを示す管理者権限とを関連付けて格納している。そして、処理手段が、入力手段からユーザ識別子を受付けるステップと、当該受付けたユーザ識別子と、管理者権限とが関連付けられて格納されている場合のみ、送信履歴を出力するステップとを実行する。
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】変更
【補正の内容】
【００１９】
請求項８記載の発明は、請求項２乃至７記載のいずれかの画像形成装置において、以下の処理を実行することを特徴とした画像形成装置である。処理手段が、記憶手段に禁止フラグが格納されている場合に、入力手段から実行要求を受付けたことを契機として、記憶手段に格納された送信履歴を送信日時の古い順に送信履歴閾値の数まで出力するステップと、当該出力した送信履歴を記憶手段から削除するステップとを実行する。
【手続補正１１】
【補正対象書類名】明細書
【補正対象項目名】００２０
【補正方法】変更
【補正の内容】
【００２０】
請求項９記載の発明は、請求項２乃至７記載のいずれかの画像形成装置において、以下の処理を実行することを特徴とした画像形成装置である。ここで、画像形成装置が表示手段を備えている。そして、処理手段が、記憶手段に禁止フラグが格納されている場合に、管理者に送信履歴の出力を促す警告を表示手段に表示するステップを実行する。
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】変更
【補正の内容】
【００２２】
送信履歴の数が送信履歴閾値に達した場合に、処理手段が、履歴満杯時動作識別子に応じて、記憶手段に蓄積された送信履歴を削除する、又は送信を伴う処理を禁止するので、セキュリティを考慮して送信履歴の情報漏洩等を防止すると共に、ハードウェア資源としての記憶手段を圧迫せずに、送信履歴を蓄積することができる。